(57)【要約】【目的】ショウケース保温庫や冷凍庫ないし冷蔵庫などに収容する物品を含めて重量物とならざるを得ない物体を天井を有しない場合をも含む収納室内に設定支持するに当って、収容室の床パネルに対する重量負荷が過大となっても汎用断熱床パネルの部分的補修によって、その過大負荷を有効に担持可能とする断熱床の補強を簡易且つ低コストで有効適切に達成する。【構成】収納室内にショウケースや貯蔵庫などの容器自体またはそれに収容された物品を含めた重量物を載荷設定させる設定部の補強施工であって、該収納室内の重量物設定部には複数個の既設支持材７が残置され、それら既設支持材７に加えて新たに樹脂質支持体２を追加設定し、それら樹脂質支持体２および既設支持材７により前記重量物を載荷設定させる収納室における重量物設定部補強施工方法。【選択図】　　　　　図１
2004027511.tif 000002
【特許請求の範囲】
【請求項１】
収納室内にショウケースや貯蔵庫などの容器自体またはそれに収容された物品を含めた重量物を載荷設定させる設定部の補強施工であって、該収納室内の重量物設定部には複数個の既設支持材が残置され、それら既設支持材に加えて新たに樹脂質支持体を追加設定し、それら樹脂質支持体および既設支持材により前記重量物を載荷設定させるようにしたことを特徴とする収納室における重量物設定部補強施工方法。
【請求項２】
請求項１において重量物を載荷設定していた既設支持部材および追加設定された樹脂質支持体をそのままとし、あるいはそれらの一部を変更すると共に新しい樹脂質支持体を追加設定してそれまで支持設定されていた重量物とは異なった重量物を既設床面上に支持設定させることを特徴とした収納室における重量物設定部補強施工方法。
【請求項３】
収納室内にショウケースや貯蔵庫などの容器自体またはそれに収容された物品を含めた重量物を載荷設定させる設定部補強施工装置であって、該収納室の重量物設定部には複数個の既設支持材が残置され、それら既設支持材に加えて新規な筒状樹脂質支持体が追加設定され、該筒状樹脂質支持体とそれら筒状樹脂質支持体内に充填された充填部体から成ることを特徴とした収納室における重量物設定部補強施工装置。
【請求項４】
樹脂質支持体および既設支持材にスペーサーが加えられ、該スペーサーを介して重量物を設定させることを特徴とした請求項３に記載の収納室における重量物設定部補強施工装置。
【発明の詳細な説明】
【０００１】
【発明の属する技術分野】
本発明は収納室内における重量物設定部補強施工法およびその装置に係り、ショウケース保温庫や冷凍庫ないし冷蔵庫などに収容する物品を含めて重量物とならざるを得ない物体を天井を有しない場合をも含む収納室内に設定支持するに当って、該収納室床面の強度特性を部分補修によって簡易且つ低コストで適切に向上せしめ、ショウケース等の改修収容物の増加による重量が増加し、収容室の床パネルに対する重量負荷が過大となっても汎用断熱床パネルの部分的補修によって、その過大負荷を有効に担持可能とし、冷凍、冷蔵庫やショウケースなどを支持する断熱床の補強を簡易且つ低コストで有効適切に達成しようとするものである。
【０００２】
【従来の技術】
ショウケースなどにおける要冷凍または要保温収容物品は店舗内または屋外の所定空間に対して、５面を断熱パネルで囲繞した冷凍または保温設備域に収納し、ショウケースのような場合は多段棚設備を利用して各種商品を陳列するようなことが行われている。また店舗内においては店舗内の有効利用や顧客の利便性を考慮してドア付きショウケースのドアを取外した状態を形成し、陳列商品を直接に取出し得るようにした開放ショウケースを採用するようなことが行われている。収容物品としては前記ショウケース展示商品の他に穀物、野菜、魚肉類等の食料品があり、このような商品の貯蔵庫の場合は屋内または屋外に五面または六面を囲んで冷凍または冷蔵域を形成して収納室となし、該収納室内にそれら商品を収容した貯蔵庫が収納されるようになっている。
【０００３】
【発明が解決しようとする課題】
ショウケースのような商品陳列ケースにおける陳列商品を取出す場合には一般的にはドアを開披することが必要であるが、この開披行為が他の客の通行を妨害する。一方取出ドアはそれ自体がケースの強度部材として設計されていることが普通である。即ちこのような取出ドア付ショウケースにおいては棚柱が前記取出ドアの強度を差引いた強度でよいこととされ、それだけ軽量化された構成となっている。これに対し取出ドアの装備されていないショウケースにおいては取出ドアの強度をショウケースの棚柱の如きにおいて負荷せざるを得ないこととなって重量化することは当然である。
【０００４】
即ち、取出しドアの装備されない開放ショウケースにおいては、前倒れの危険を回避すべく頑丈に設計するのが常識であって、このようにして設計すると取出しドア付きショウケース重量が４００ｋｇの場合、取出ドアのない同容量の開放ショウケースの重量はその２倍として設計され、８００ｋｇとなる。このように大重量化した開放ショウケースの重量を従来の軽量商品用に設計された収納室断熱床上に載荷設定するならば断熱床が変形し損傷を免れないこととなることは当然である。従って上記したような場合には断熱床などの設定部を新しく設計施工するようなこととなるが、著しく大型な施工となり、その資材、工期を多く必要とし、甚だしい経済的不利とならざるを得ない。
【０００５】
なお穀物、野菜、魚肉のような食料などの貯蔵庫の如きにおいて過積みすればその分スペースが節約できるが、このようにすると断熱床の重量負荷が大きくなって床部の変形損傷を受けることとならざるを得ないからこのような場合においても断熱床部を改修することが必要となる。
【０００６】
【課題を解決するための手段】
本発明は上記したような実情に鑑み検討を重ね、上記したような貯蔵庫などを載荷設定する断熱床に関し簡易な部分的補修工事によって重量物を収納することができ、また更に該重量物が変更されて負荷荷重が増大したような場合において簡便に変形施工して重量物を収納できる断熱床を得ることに成功したものであって、以下の如くである。
【０００７】
（１）　収納室内にショウケースや貯蔵庫などの容器自体またはそれに収容された物品を含めた重量物を載荷設定させる設定部の補強施工であって、該収納室内の重量物設定部には複数個の既設支持材が残置され、それら既設支持材に加えて新たに樹脂質支持体を追加設定し、それら樹脂質支持体および既設支持材により前記重量物を載荷設定させるようにしたことを特徴とする収納室における重量物設定部補強施工方法。
【０００８】
（２）　前記（１）項において重量物を載荷設定していた既設支持部材および追加設定された樹脂質支持体をそのままとし、あるいはそれらの一部を変更すると共に新しい樹脂質支持体を追加設定してそれまで支持設定されていた重量物とは異なった重量物を既設床面上に支持設定させることを特徴とした収納室における重量物設定部補強施工方法。
【０００９】
（３）　収納室内にショウケースや貯蔵庫などの容器自体またはそれに収容された物品を含めた重量物を載荷設定させる設定部補強施工装置であって、該収納室の重量物設定部には複数個の既設支持材が残置され、それら既設支持材に加えて新規な筒状樹脂質支持体が追加設定され、該筒状樹脂質支持体とそれら筒状樹脂質支持体内に充填された充填部体から成ることを特徴とした収納室における重量物設定部補強施工装置。
【００１０】
（４）　樹脂質支持体および既設支持材にスペーサーが加えられ、該スペーサーを介して重量物を設定させることを特徴とした前記（３）項に記載の収納室における重量物設定部補強施工装置。
【００１１】
【作用】
収納室床部などの設定部上にショウケースや貯蔵庫などの容器自体またはそれに収容された物品を含めた重量物を載荷設定するための床部などに対する補強工事を該重量物設定部に即応した部分的範囲において実施することにより施工量や経費を大幅に削減し、短期間内、低コスト条件によって目的の施工を行わしめる。
【００１２】
上記したような部分的範囲における設定部下方に複数の樹脂質支持体を配設して該設定部を構成し、前記重量物を載荷設定させることにより支持体の配設施工を容易とし、従って迅速、短時間の施工によって有効な設定部補強施工を短時間内に行わしめる。
【００１３】
樹脂質支持体が筒状成形体であり、該筒状支持体内に発泡樹脂材が注入発泡され充填されることにより合成樹脂成形体の硬質性と共に粘弾性を利用した収納室床部補強作用を得しめると共に注入発泡された樹脂材により断熱性を付与し筒状支持部と有効に一体化且つ補強した設定部補強作用を得しめる。
【００１４】
筒状支持部材内にセメント系混練物が充填成形されれば的確な方向性や支持作用をなす設定部補強施工が平易且つ的確に形成される。
【００１５】
収納室床部などの設定部上にショウケースや貯蔵庫などの容器自体またはそれに収容された物品を含めた重量物を載荷設定するための設定部補強工事が該重量物設定部に即応した部分的範囲において形成されることにより限定された範囲内の補強施工によって目的と設定部補強を効率的に達成せしめる。
【００１６】
上記したような部分的範囲における設定部下方に複数の筒状支持部材を配設すると共に該筒状支持部材内に補強充填材を施して設定部を載荷したことにより比較的コンパクトで簡易な設備により上記したような補強施工を円滑に遂行せしめる。
【００１７】
【実施例】
上述したような本発明によるものの具体的な実施態様を添付図面に示すものについて説明すると、本発明における収納の具体例は図１に示す如くであって、側壁部および上下部の断熱パネル１によって形成された収納室２０の前面開口部２０ａ内には棚柱１２が配設されて図１に示すような多段棚１１をもった開放ショウケース１０が収納されている。
【００１８】
前記したような収納室２０を形成する断熱パネル１は図１および図３に示すようにコンクリート等の基礎部４上における床断熱パネル６と壁断熱パネル１９および天井断熱パネル９によって形成される。一方収納室２０内に収納される開放ショウケース１０は冷凍手段１３などを配設すると共に前面開口部２０ａに向けて多段の棚部１１が配設されており、このように多段に設けられた各棚部１１にそれぞれ商品が収容配列された条件下においても多段棚であるショウケース１０が倒れるようなことを防止すべく強靭で重量をもった棚柱１２が配設され、即ち商品を満載した多段棚１１、１１………の前面側倒れ込みを防止すべく厚肉で重量の大きい多数個の棚柱１２群を用いた重量物となっている。なお１５、１６は収納室内雰囲気の循環ファンである。
【００１９】
つまり、上記のように厚肉大重量の棚柱１２群を配設した開放ショウケース１０は多段棚１１が空状態でも大重量とならざるを得ず、その全重量は取出ドアが付いていて構造的にも軽量設計できる取出ドア付ショウケースと較べると、一般的に倍増状態となるから、そうした倍増状態の重量により該多段棚の配設されたショウケース１０の載荷設定床面６は相当に大きな荷重を受け、取出ドア付軽量ショウケース用に設計施工されている収納室床は損傷されることとならざるを得ない。即ち少なくとも一般的な材質と構成による既設床面では損傷を受け、上記したような開放ショウケース１０が倒れることによって著しい損傷破壊を発生する可能性が高いこととなる。
【００２０】
そこで本発明においては上述したような多段棚１１と大重量の棚柱１２をもった開放ショウケース１０を従前の軽量ショウケース用の如きとして一般的に設計されている収納室床面上にセットした場合における該開放ショウケースの大重量性に原因した転倒による危険性を簡易に回避せしめ安定した使用を図り、しかもそうした床面その他の支持面部分についての改善工事を簡易に行わしめ、少ない工費と時間によって的確にその施工目的を達成せしめようとするものであって、部分的詳細は図２、３において示す如くである。
【００２１】
即ち本発明においては上記した図１に示す如き大重量の開放ショウケース１０を収納すべき収納室２０における既設コンクリート等の基礎部４上に該開放ショウケース１０の重量を受ける複数個の支持体２が図１に示すように配設され、それらの支持体２によって断熱床６を補強するもので、該支持体２を図２、３に示すように少なくとも棚柱１２を含む多段棚１１の設定域における開放ショウケース１０と基礎面４との間に配設介装する。
【００２２】
前記支持体２は本発明における具体的構成として樹脂質支持体２が採用されて断熱性を高め、又該支持体を中空筒状として該支持体２内に発泡樹脂を注入充填したものとすることにより断熱性を付与し、更に支持体２の粘弾性強度を向上せしめ、即ち樹脂材による表面材と結合して著しい粘弾性を帯びて一体化し、強度性の高い支持が得られる。基礎部上に形成されたコンクリート層は土木工事的でその表面にはそれなりの凹凸を有しており、このような凹凸面に支持体２を設定して安定な支持関係を得るためには適宜に敷材ないし台座１６を用いて図３に示すように支持体２の基端部を支持することにより安定した支持関係を形成することができる。
【００２３】
また本発明においては上記したように基礎部４に配設された支持体２を使用することによって、上述したような開放ショウケース１０などの重量物支持作用を的確に得るために既述した如く複数個を並列して配設された支持体２の上端部に適当な厚みの金属板のような硬質板をスペーサー５として介装し、該スペーサー５は床断熱パネル６上に設けられた位置決め金具８によってその設定位置が規制される。
【００２４】
断熱パネル１である壁パネル１９に対し位置決め金具８を介し金属板のような硬質スペーサー５が該壁パネル１９から所定間隔を採って図２、３に示すように列設された支持体２、２、２………上に位置せしめられ、たとえば開放ショウケース１０のような重量物が該硬質スペーサー５上にセットされることにより多数個複数列の支持体２群上に載置支持される。即ち、数百ｋｇ以上のような重量物１０は安定に支持され、既設建築物における床面の断熱パネルの如きをも損傷せしめることなく安定に支持されることは明かであるが、支持体２、２間には既設の支持材７およびその支持調整台７ａがそのまま採用され床断熱パネル６などを支持している。
【００２５】
なお本発明者等は上記したような図１に示す如き本発明による施工をなした後に同じ収納室２０内において別の開放ショウケース１０として奥行きが５０％広くなったものを設定することとなり、そのための工事をした。即ち樹脂質支持体２に発泡樹脂体３を充填させたものを図１に示したものの左側（後方）にもう１列追加施工して奥行きの大きいショウケース１０をセットするように追加実施したが、安定したショウケース１０の設定が得られたことは図１に示した前記先行実施例の場合と同じであり、本発明によるものはこのような設定物の変更に対し僅少な樹脂質支持体２の追加のみで簡易迅速に即応し得ることが確認された。
【００２６】
【発明の効果】
以上説明したような本発明によるときは、既設建築物の如きにおける般用床面ないし断熱床面の如き設定部に対し、建築物全般や床面ないし基礎面の全般に対する大掛りな改修工事を必要とすることなく、簡易且つ点的な床下その他の設定基礎部についての限定的支持体設定配設により的確に改善向上し得るものであって、近時における商品展示器体のみならず、各種作業機器その他を簡易低コストに設定し、各種営業ないし作業を円滑に行わしめ得るものであるから工業的にその効果の大きい発明である。
【図面の簡単な説明】
【図１】本発明の適用される重量性部体の具体例であるショーケースの１例を示した断面図である。
【図２】本発明における設定部として断熱床補強構造の配設関係を示した平面的説明図である。
【図３】図２に示したものの一部についての部分的な縦断側面図である。
【符号の説明】
１　断熱パネル
２　樹脂質支持体
３　発泡樹脂体
４　コンクリート等の基礎部
５　スペーサー
６　床断熱パネル
７　支持材
７ａ　支持調整台
８　取付部材
９　天井断熱パネル
１０　開放ショウケース（重量物）
１０ａ　ショウケース開口部
１１　棚
１２　棚柱
１３　冷却手段（クーラーなど）
１４　多段棚部
１５　冷却手段向け送風手段
１６　台座
１７　シール材
１８　照明手段
１９　壁断熱パネル
２０　収納室
２０ａ　その前面開放部
２１　ショウケース内送風手段
【図１】
2004027511.tif 000003
【図２】
2004027511.tif 000004
【図３】
2004027511.tif 000005